【手続補正書】
【提出日】平成20年4月30日(2008.4.30)
【手続補正１】
【補正対象書類名】明細書
【補正対象項目名】特許請求の範囲
【補正方法】変更
【補正の内容】
【特許請求の範囲】
【請求項１】  送信元ネットワークノードから第１のパケットを受信するための方法であって、
上記送信元ネットワークノードによって送信された受信信号の信号品質に基づいてデータレート制御信号を発生させる工程と、
上記データレート制御信号を上記送信元ネットワークノードに送る工程と、
上記送信元ネットワークノードからの上記データレート制御信号に基づいたデータレートを有する第１の信号を受信する工程であって、上記宛先ネットワークノードあてのデータのパケットを含むことを示す上記第１の信号からプリアンブルを復号することを具備する工程と、
第１の信号品質メトリックを形成するために、上記第１の信号の信号品質を測定する工程と、
上記第１の信号品質メトリックに基づいて第１のフィードバック信号を送る工程と、
を具備する方法。
【請求項２】  送信元ネットワークノードから第１のパケットを受信するための方法であって、
上記送信元ネットワークノードによって送信された受信信号の信号品質に基づいてデータレート制御信号を発生させる工程と、
上記データレート制御信号を上記送信元ネットワークノードに送る工程と、
上記送信元ネットワークノードからの上記データレート制御信号に基づいたデータレートを有する第１の信号を受信する工程であって、上記データレートに基づく所定数の時間スロットのうちの第１の時間スロットから上記第１の信号を抽出する工程を具備する工程と、
第１の信号品質メトリックを形成するために、上記第１の信号の信号品質を測定する工程と、
上記第１の信号品質メトリックに基づいて第１のフィードバック信号を送る工程と、
を具備する方法。
【請求項３】  請求項２に記載の方法において、上記第１の信号を受信する工程は、先に送信されたデータレート制御信号に基づいて上記所定数の時間スロットを決定することを更に具備する方法。
【請求項４】  送信元ネットワークノードから第１のパケットを受信するための方法であって、
上記送信元ネットワークノードによって送信された受信信号の信号品質に基づいてデータレート制御信号を発生させる工程と、
上記データレート制御信号を上記送信元ネットワークノードに送る工程と、
上記送信元ネットワークノードからの上記データレート制御信号に基づいたデータレートを有する第１の信号を受信する工程であって、上記第１の信号が所定期間スロットを有する第１のスロット内に受信される工程と、
上記パケットと関連する第１の組の蓄積パケットサンプルに、上記第１の信号を蓄積する工程と、
第１の信号品質メトリックを形成するために、上記第１の信号の信号品質を測定する工程と、
上記第１の信号品質メトリックに基づいて第１のフィードバック信号を送る工程と、
を具備する方法。
【請求項５】  請求項４に記載の方法において、上記第１の信号の信号品質を測定する工程は、上記第１の組の蓄積パケットサンプルから、パケットを復号することを試みる工程を更に具備し、上記第１の信号品質メトリックは、上記復号することを試みる工程の結果に基づいている方法。
【請求項６】  請求項５に記載の方法において、上記第１の信号品質メトリックは、上記復号することを試みる工程においてパケットが正しく復号されたことを示し、上記第１のフィードバック信号は繰り返し停止信号である方法。
【請求項７】  請求項５に記載の方法において、上記第１の信号品質メトリックは、上記復号することを試みる工程においてパケットが正しく復号されなかったことを示し、上記第１のフィードバック信号は繰り返し継続信号である方法。
【請求項８】  請求項４に記載の方法において、上記第１の信号が所定スロット期間を有する第１の時間スロット内に受信され、上記方法は、
パケットと関連する第１の組の蓄積パケットサンプルに、上記第１の信号を蓄積する工程と、
所定スロット期間を有する第２の時間スロット内に第２の信号を受信する工程と、
パケットと関連する第１の組の蓄積パケットサンプルに、上記第２の信号を蓄積する工程と、
第２の信号品質メトリックを形成するために、上記第１の信号及び上記第２の信号の信号品質を測定する工程と、
上記第２の信号品質メトリックに基づいて第２のフィードバック信号を送る工程と、
を更に具備する方法。
【請求項９】  請求項８に記載の方法において、上記第１の時間スロットの終わりと上記第２の時間スロットの始まりとの間の経過時間は、上記所定スロット期間の倍数に等しい所定期間を有する方法。
【請求項１０】  請求項９に記載の方法において、上記倍数が２倍である方法。
【請求項１１】  請求項９に記載の方法において、上記倍数が３倍である方法。
【請求項１２】  請求項９に記載の方法において、上記倍数が４倍である方法。
【請求項１３】  送信元ネットワークノードから第１のパケットを受信するための方法であって、
上記送信元ネットワークノードによって送信された受信信号の信号品質に基づいてデータレート制御信号を発生させる工程と、
上記データレート制御信号を上記送信元ネットワークノードに送る工程と、
上記送信元ネットワークノードからの上記データレート制御信号に基づいたデータレートを有する第１の信号を受信する工程と、
第１の信号品質メトリックを形成するために、上記第１の信号の信号品質を測定する工程であって、上記受信信号の搬送波対干渉（Ｃ／Ｉ）比を測定することを具備する工程と、
上記第１の信号品質メトリックに基づいて第１のフィードバック信号を送る工程と、
を具備する方法。
【請求項１４】  請求項１３に記載の方法において、上記データレート制御信号は、所定組のデータレートのうちの１つの要求データを指定し、上記データレートは上記１つの要求データレートに等しい方法。
【請求項１５】  送信元ネットワークノードから第１のパケットを受信するための方法であって、
上記送信元ネットワークノードによって送信された受信信号の信号品質に基づいてデータレート制御信号を発生させる工程と、
上記データレート制御信号を上記送信元ネットワークノードに送る工程と、
上記送信元ネットワークノードからの上記データレート制御信号に基づいたデータレートを有する第１の信号を受信する工程と、
第１の信号品質メトリックを形成するために、上記第１の信号の信号品質を測定する工程であって、第１の組の蓄積サンプルからパケットを復号することを試みる工程を具備する工程と、
上記第１の信号品質メトリックに基づいて第１のフィードバック信号を送る工程と、
を具備する方法。
【請求項１６】  送信元ネットワークノードから第１のパケットを受信するための方法であって、
上記送信元ネットワークノードによって送信された受信信号の信号品質に基づいてデータレート制御信号を発生させる工程と、
上記データレート制御信号を上記送信元ネットワークノードに送る工程と、
上記送信元ネットワークノードからの上記データレート制御信号に基づいたデータレートを有する第１の信号を受信する工程と、
第１の信号品質メトリックを形成するために、上記第１の信号の信号品質を測定する工程であって、１つ以上の受信パイロットバースト信号の搬送波対干渉（Ｃ／Ｉ）比を測定することを具備する工程と、
上記第１の信号品質メトリックに基づいて第１のフィードバック信号を送る工程と、
を具備する方法。
【請求項１７】  送信元ネットワークノードから第１のパケットを受信するための方法であって、
上記送信元ネットワークノードによって送信された受信信号の信号品質に基づいてデータレート制御信号を発生させる工程と、
上記データレート制御信号を上記送信元ネットワークノードに送る工程と、
上記送信元ネットワークノードからの上記データレート制御信号に基づいたデータレートを有する第１の信号を受信する工程と、
第１の信号品質メトリックを形成するために、上記第１の信号の信号品質を測定する工程と、
上記第１の信号品質メトリックに基づいて第１のフィードバック信号を送る工程であって、上記フィードバック信号は繰り返し停止信号である工程と、
第１の組の蓄積パケットサンプルからパケットを復号する工程と、
を具備する方法。
【請求項１８】  送信元ネットワークノードから第１のパケットを受信するための方法であって、
上記送信元ネットワークノードによって送信された受信信号の信号品質に基づいてデータレート制御信号を発生させる工程と、
上記データレート制御信号を上記送信元ネットワークノードに送る工程と、
上記送信元ネットワークノードからの上記データレート制御信号に基づいたデータレートを有する第１の信号を受信する工程と、
第１の信号品質メトリックを形成するために、上記第１の信号の信号品質を測定する工程と、
上記第１の信号品質メトリックに基づいて第１のフィードバック信号を送る工程であって、上記フィードバック信号は繰り返し継続信号である工程と、
パケットと関連する第１の組の蓄積パケットサンプルに、第２の信号を蓄積する工程と、
第２の信号品質メトリックを発生させるために、上記第２の信号の信号品質を測定する工程と、
上記第１の信号品質メトリック及び上記第２の信号品質メトリックに基づいて復号予測メトリックを発生させる工程と、
上記復号予測メトリックと復号器予測しきい値とを比較する工程と、
上記比較する工程に基づいてフィードバック信号を送る工程と、
を具備する方法。
【請求項１９】  送信元ネットワークノードから第１のパケットを受信するための方法であって、
上記送信元ネットワークノードによって送信された受信信号の信号品質に基づいてデータレート制御信号を発生させる工程と、
上記データレート制御信号を上記送信元ネットワークノードに送る工程と、
上記送信元ネットワークノードからの上記データレート制御信号に基づいたデータレートを有する第１の信号を受信する工程と、
第１の信号品質メトリックを形成するために、上記第１の信号の信号品質を測定する工程と、
上記第１の信号品質メトリックに基づいて第１のフィードバック信号を送る工程であって、
ウォルシュ拡散された（covered）繰り返し停止信号を発生させるために、第１のウォルシュ符号によって繰り返し停止信号のシンボルを拡散する（covering）工程と、
上記ウォルシュ拡散された（covered）繰り返し停止信号を、上記第１のウォルシュ符号と直交する第２のウォルシュ符号によって拡散された（covered）１つ以上の付加信号と同時に送信する工程と、
を具備する工程と、
を具備する方法。
【請求項２０】  送信元ネットワークノードから第１のパケットを受信するための方法であって、
上記送信元ネットワークノードによって送信された受信信号の信号品質に基づいてデータレート制御信号を発生させる工程と、
上記データレート制御信号を上記送信元ネットワークノードに送る工程と、
上記送信元ネットワークノードからの上記データレート制御信号に基づいたデータレートを有する第１の信号を受信する工程と、
第１の信号品質メトリックを形成するために、上記第１の信号の信号品質を測定する工程と、
上記第１の信号品質メトリックに基づいて第１のフィードバック信号を送る工程であって、
ウォルシュ拡散された(covered)繰り返し停止信号を発生させるために、第１のウォルシュ符号によって繰り返し継続信号のシンボルを拡散する（covering）工程と、
上記ウォルシュ拡散された（covered）繰り返し停止信号を、上記第１のウォルシュ符号と直交する第２のウォルシュ符号によって拡散された（covered）１つ以上の付加信号と同時に送信する工程と、
を具備する工程と、
を具備する方法。
【請求項２１】  第１のデータパケットを送信元ネットワークノードから宛先ネットワークノードに送るための方法であって、
上記宛先ネットワークノードからのデータレート制御信号を受信する工程と、
上記データレート制御信号に基づいて、宛先ネットワークに送る第１のデータパケットのコピーの数を決定する工程と、
上記第１のデータパケットの第１のコピーを第１の信号に符号化する工程と、
上記第１の信号を上記宛先ネットワークノードに送る工程と、
上記宛先ネットワークノードからの繰り返し停止信号を受信する工程と、
上記繰り返し停止信号に基づいて、上記コピーの数よりも少ないコピーを宛先ネットワークノードに送る工程と、
を具備する方法。
【請求項２２】  請求項２１に記載の方法において、上記第１の信号を送る工程は、プリアンブルを上記宛先ネットワークノードあてのデータのパケットを含むことを示す上記第１の信号に符号化する工程を更に具備する方法。
【請求項２３】  請求項２１に記載の方法において、上記第１のデータパケットの第２のコピーを第２の信号に符号化する工程と、
上記繰り返し停止信号を受信する工程の前に、上記第２の信号を上記宛先ネットワークノードに送る工程と、
を更に具備する方法。
【請求項２４】  請求項２３に記載の方法において、上記第１の信号が所定スロット期間を有する第１の時間スロット内に送信され、上記第２の信号が所定スロット期間を有する第２の時間スロット内に送信され、上記第１の時間スロットの終わりと上記第２の時間スロットの始まりとの間の経過時間は、上記所定スロット期間の倍数に等しい所定期間を有する方法。
【請求項２５】  請求項２４に記載の方法において、上記倍数が２倍である方法。
【請求項２６】  請求項２４に記載の方法において、上記倍数が３倍である方法。
【請求項２７】  請求項２４に記載の方法において、上記倍数が４倍である方法。
【請求項２８】  請求項２３に記載の方法において、上記方法は、
第２のデータパケットの第１のコピーを第３の信号に符号化する工程と、
上記第１の時間スロットと上記第２の時間スロットとの間に配列され、所定スロット期間を有する第３の時間スロット内に、上記第３の信号を上記宛先ネットワークノードに送る工程と、
を更に具備する方法。
【請求項２９】  請求項２８に記載の方法において、上記第３の時間スロットは、上記第１の時間スロットが終わる後に直ちに始まり、上記第２の時間スロットは、上記第３の時間スロットが終わる後に直ちに始まる方法。
【請求項３０】  請求項２１に記載の方法において、上記データレート制御信号は、所定組のデータレートの中の１つの要求されたデータレートを指定し、上記所定組のデータレートの中のそれぞれのデータレートは、所定数の時間スロットと関連しており、上記コピーの数は上記要求されたデータレートと関連する上記所定数の時間スロットに等しい方法。
【請求項３１】  請求項２１に記載の方法において、上記繰り返し停止信号を受信する工程は、
第１のウォルシュ符号によって、繰り返し停止信号のシンボルを逆拡散する（decovering）工程と、
宛先ネットワークノードから受信される上記データ信号のシンボルを、上記第１のウォルシュ符号と直交する上記第２のウォルシュ符号によって逆拡散する（decovering）工程と、
を更に具備する方法。
【請求項３２】  請求項２１に記載の方法において、上記第１の信号を送る工程は、１つ以上のパイロットバースト信号を送る工程を更に具備する方法。
【請求項３３】  データパケットを送信元ネットワークノードから宛先ネットワークノードに送るための方法であって、
上記宛先ネットワークノードからのデータレート制御信号を受信する工程と、
上記データレート制御信号に基づいて、上記宛先ネットワークに送る上記データパケットのコピーの数を決定する工程と、
上記データパケットのコピーを含む第１の信号を上記宛先ネットワークノードに送る工程と、
上記宛先ネットワークノードからの繰り返し継続信号を受信する工程と、
上記繰り返し継続信号に基づいて、上記コピーの数よりも多いコピーを上記宛先ネットワークノードに送る工程と、
を具備する方法。
【請求項３４】  請求項３３に記載の方法において、上記第１の信号を送る工程は、プリアンブルを上記宛先ネットワークノードあてのデータのパケットを含むことを示す第１の信号に符号化する工程を更に具備する方法。
【請求項３５】  請求項３３に記載において、上記方法は、
上記第１のデータパケットの第２のコピーを第２の信号に符号化する工程と、
上記繰り返し継続信号を受信する工程の前に、上記第２の信号を上記宛先ネットワークノードに送る工程と、
を更に具備する方法。
【請求項３６】  請求項３５に記載の方法において、上記第１の信号は所定スロット期間を有する第１の時間スロット内に送信され、上記第２の信号は所定スロット期間を有する第２の時間スロット内に送信され、上記第１の時間スロットの終わりと上記第２の時間スロットの始まりとの間の経過時間は、上記所定スロット期間の倍数に等しい所定期間を有する方法。
【請求項３７】  請求項３６に記載の方法において、上記倍数が２倍である方法。
【請求項３８】  請求項３６に記載の方法において、上記倍数が３倍である方法。
【請求項３９】  請求項３６に記載の方法において、上記倍数が４倍である方法。
【請求項４０】  請求項３５に記載の方法において、上記方法は、
第２のデータパケットの第１のコピーを第３の信号に符号化する工程と、
上記第１の時間スロットと上記第２の時間スロットとの間に配列され、所定スロット期間を有する第３の時間スロット内に、上記第３の信号を上記宛先ネットワークノードに送る工程と、
を更に具備する方法。
【請求項４１】  請求項４０に記載の方法において、上記第３の時間スロットは、上記第１の時間スロットが終わる後に直ちに始まり、上記第２の時間スロットは、上記第３の時間スロットが終わる後に直ちに始まる方法。
【請求項４２】  請求項３３に記載の方法において、上記データレート制御信号は、所定組のデータレートの中の１つの要求されたデータレートを指定し、上記所定組のデータレートの中のそれぞれのデータレートは、所定数の時間スロットと関連しており、上記コピーの数は上記要求されたデータレートに関連する上記所定数の時間スロットに等しい方法。
【請求項４３】  請求項３３に記載の方法において、上記繰り返し継続信号を受信する工程は、
第１のウォルシュ符号によって、上記繰り返し継続信号のシンボルを逆拡散する（decovering）工程と、
上記宛先ネットワークノードから受信されるデータ信号のシンボルを、上記第１のウォルシュ符号と直交する上記第２のウォルシュ符号によって逆拡散する（decovering）工程と、
を更に具備する方法。
【請求項４４】  請求項３３に記載の方法において、上記第１の信号を送る工程は、１つ以上のパイロットバースト信号を送る工程を更に具備する方法。
【請求項４５】  送信元ネットワークノードから第１のパケットを受信するためのネットワークノード装置であって、
復調サンプルの流れを生成するために、ダウンコンバートされたサンプル信号を復調する復調器と、
上記第１のパケットと関連する上記復調サンプルの第１の部分を蓄積する第１の蓄積バッファと、
上記第１のパケットのデータを復号するために、上記第１の蓄積バッファの内容を復号する復号器と、
フィードバック制御信号に基づいて上記送信元ネットワークノードに送られるフィードバック信号を発生させるフィードバック信号発生器と、
上記第１の蓄積バッファにおいて蓄積された復調サンプルの流れの一部を制御し、上記ダウンコンバートされたサンプルの信号品質に基づいて上記フィードバック制御信号を発生させる制御プロセッサと、
上記フィードバック信号を上記送信元ネットワークノードに送信する送信器と、
上記復調サンプルの流れによって受信されたプリアンブルを検出し、復号するプリアンブル検出器と、
を具備する装置。
【請求項４６】  送信元ネットワークノードから第１のパケットを受信するためのネットワークノード装置であって、
復調サンプルの流れを生成するために、ダウンコンバートされたサンプル信号を復調する復調器と、
上記第１のパケットと関連する上記復調サンプルの第１の部分を蓄積する第１の蓄積バッファと、
上記第１のパケットのデータを復号するために、上記第１の蓄積バッファの内容を復号する復号器と、
フィードバック制御信号に基づいて上記送信元ネットワークノードに送られるフィードバック信号を発生させるフィードバック信号発生器と、
上記第１の蓄積バッファにおいて蓄積された復調サンプルの流れの一部を制御し、上記ダウンコンバートされたサンプルの信号品質に基づいて上記フィードバック制御信号を発生させる制御プロセッサと、
上記フィードバック信号を上記送信元ネットワークノードに送信する送信器と、
上記ダウンコンバートされたサンプル信号の信号品質に基づいて受信信号品質信号を発生させ、上記受信信号品質信号を上記制御プロセッサに供給する信号品質プロセッサと、
を具備する装置。
【請求項４７】  請求項４６に記載の装置において、上記装置は、上記受信信号品質信号に基づいて上記送信元ネットワークノードに送られるデータレート制御信号を符号化するためのデータレート制御符号化器を更に具備する装置。
【請求項４８】  請求項４７に記載の装置において、上記装置は、第１のウォルシュ符号によって上記データレート制御信号を拡散する（covering）第１のウォルシュ符号化器を更に具備する装置。
【請求項４９】  請求項４８に記載の装置において、上記装置は、上記第１のウォルシュ符号と直交する第２のウォルシュ符号によって上記フィードバック信号を拡散する（covering）第２のウォルシュ符号化器を更に具備する装置。
【請求項５０】  送信元ネットワークノードから第１のパケットを受信するためのネットワークノード装置であって、
復調サンプルの流れを生成するために、ダウンコンバートされたサンプル信号を復調する復調器と、
上記第１のパケットと関連する上記復調サンプルの第１の部分を蓄積する第１の蓄積バッファと、
上記第１のパケットのデータを復号するために、上記第１の蓄積バッファの内容を復号する復号器と、
フィードバック制御信号に基づいて上記送信元ネットワークノードに送られるフィードバック信号を発生させるフィードバック信号発生器であって、上記フィードバック制御信号に基づいて、上記送信元ネットワークノードに繰り返し停止信号を発生させるように構成されたフィードバック信号発生器と、
上記第１の蓄積バッファにおいて蓄積された復調サンプルの流れの一部を制御し、上記ダウンコンバートされたサンプルの信号品質に基づいて上記フィードバック制御信号を発生させる制御プロセッサと、
上記フィードバック信号を上記送信元ネットワークノードに送信する送信器と、
を具備する装置。
【請求項５１】  送信元ネットワークノードから第１のパケットを受信するためのネットワークノード装置であって、
復調サンプルの流れを生成するために、ダウンコンバートされたサンプル信号を復調する復調器と、
上記第１のパケットと関連する上記復調サンプルの第１の部分を蓄積する第１の蓄積バッファと、
上記第１のパケットのデータを復号するために、上記第１の蓄積バッファの内容を復号する復号器と、
フィードバック制御信号に基づいて上記送信元ネットワークノードに送られるフィードバック信号を発生させるフィードバック信号発生器と、
上記第１の蓄積バッファにおいて蓄積された復調サンプルの流れの一部を制御し、上記ダウンコンバートされたサンプルの信号品質に基づいて上記フィードバック制御信号を発生させる制御プロセッサと、
上記フィードバック信号を上記送信元ネットワークノードに送信する送信器と、
を具備し、
上記フィードバック信号発生器は、上記制御プロセッサからの制御信号に基づいて、上記送信元ネットワークノードに繰り返し継続信号を発生させるように構成されている装置。
【請求項５２】  送信元ネットワークノードから第１のパケットを受信するためのネットワークノード装置であって、
復調サンプルの流れを生成するために、ダウンコンバートされたサンプル信号を復調する復調器と、
上記第１のパケットと関連する上記復調サンプルの第１の部分を蓄積する第１の蓄積バッファと、
上記第１のパケットのデータを復号するために、上記第１の蓄積バッファの内容を復号する復号器と、
フィードバック制御信号に基づいて上記送信元ネットワークノードに送られるフィードバック信号を発生させるフィードバック信号発生器と、
上記第１の蓄積バッファにおいて蓄積された復調サンプルの流れの一部を制御し、上記ダウンコンバートされたサンプルの信号品質に基づいて上記フィードバック制御信号を発生させる制御プロセッサであって、上記復調サンプルの第１の部分と同時に受信された１つ以上のパイロットバースト信号の信号品質に基づいて、上記フィードバック制御信号を発生させるように構成された制御プロセッサと、
上記フィードバック信号を上記送信元ネットワークノードに送信する送信器と、
を具備する装置。
【請求項５３】  送信元ネットワークノードから第１のパケットを受信するためのネットワークノード装置であって、
復調サンプルの流れを生成するために、ダウンコンバートされたサンプル信号を復調する復調器と、
上記第１のパケットと関連する上記復調サンプルの第１の部分を蓄積する第１の蓄積バッファと、
上記第１のパケットのデータを復号するために、上記第１の蓄積バッファの内容を復号する復号器と、
フィードバック制御信号に基づいて上記送信元ネットワークノードに送られるフィードバック信号を発生させるフィードバック信号発生器と、
上記第１の蓄積バッファにおいて蓄積された復調サンプルの流れの一部を制御し、上記ダウンコンバートされたサンプルの信号品質に基づいて上記フィードバック制御信号を発生させる制御プロセッサであって、上記復号器において、上記第１のパケットの正しい復号に基づいて上記フィードバック制御信号を発生させるように構成された制御プロセッサと、
上記フィードバック信号を上記送信元ネットワークノードに送信する送信器と、
を具備する装置。
【請求項５４】  送信元ネットワークノードから第１のパケットを受信するためのネットワークノード装置であって、
復調サンプルの流れを生成するために、ダウンコンバートされたサンプル信号を復調する復調器と、
上記第１のパケットと関連する上記復調サンプルの第１の部分を蓄積する第１の蓄積バッファと、
上記第１のパケットのデータを復号するために、上記第１の蓄積バッファの内容を復号する復号器と、
フィードバック制御信号に基づいて上記送信元ネットワークノードに送られるフィードバック信号を発生させるフィードバック信号発生器と、
上記第１の蓄積バッファにおいて蓄積された復調サンプルの流れの一部を制御し、上記ダウンコンバートされたサンプルの信号品質に基づいて上記フィードバック制御信号を発生させる制御プロセッサと、
上記フィードバック信号を上記送信元ネットワークノードに送信する送信器と、
第２のパケットと関連する、上記復号サンプルの第１の部分の間の部分に配列される第２の部分を蓄積する第２の蓄積バッファと、
を具備する装置。
【請求項５５】  第１のパケットを宛先ネットワークノードに送るためのネットワークノード装置であって、
複数のネットワークノードであって、上記宛先ネットワークノードがこの複数のネットワークノードの１つである複数のネットワークノードあての複数のデータパケットを格納するデータキューと、
上記宛先ネットワークノードから受信されたデータレート制御信号及びフィードバック信号を復号する復調器と、
上記データレートに基づいている上記第１のデータパケットを送るための時間スロット数を選択するスケジューラと、
上記データレート制御信号に基づいて上記データレートを選択し、上記フィードバック信号に基づいて時間スロット数を変更する制御プロセッサと、
上記第１のパケットからのデータを変調し、プリアンブルを上記第１のパケットのデータに挿入（puncturing）する変調器と、
を具備する装置。
【請求項５６】  第１のパケットを宛先ネットワークノードに送るためのネットワークノード装置であって、
複数のネットワークノードであって、上記宛先ネットワークノードがこの複数のネットワークノードの１つである複数のネットワークノードあての複数のデータパケットを格納するデータキューと、
上記宛先ネットワークノードから受信されたデータレート制御信号及びフィードバック信号を復号する復調器と、
上記データレートに基づいている上記第１のデータパケットを送るための時間スロット数を選択するスケジューラと、
上記データレート制御信号に基づいて上記データレートを選択し、上記フィードバック信号に基づいて時間スロット数を変更する制御プロセッサであって、上記復調器における繰り返し停止信号の復号に基づいて、上記第１のパケットを送信するのに用いられる時間スロット数を減少させるように構成された制御プロセッサと、
を具備する装置。
【請求項５７】  第１のパケットを宛先ネットワークノードに送るためのネットワークノード装置であって、
複数のネットワークノードであって、上記宛先ネットワークノードがこの複数のネットワークノードの１つである複数のネットワークノードあての複数のデータパケットを格納するデータキューと、
上記宛先ネットワークノードから受信されたデータレート制御信号及びフィードバック信号を復号する復調器と、
上記データレートに基づいている上記第１のデータパケットを送るための時間スロット数を選択するスケジューラと、
上記データレート制御信号に基づいて上記データレートを選択し、上記フィードバック信号に基づいて時間スロット数を変更する制御プロセッサであって、上記復調器における繰り返し継続信号の復号に基づいて、上記第１のパケットを送信するのに用いられる時間スロット数を増加させるように構成された制御プロセッサと、
を具備する装置。
【請求項５８】  第１のパケットを宛先ネットワークノードに送るためのネットワークノード装置であって、
複数のネットワークノードであって、上記宛先ネットワークノードがこの複数のネットワークノードの１つである複数のネットワークノードあての複数のデータパケットを格納するデータキューと、
上記宛先ネットワークノードから受信されたデータレート制御信号及びフィードバック信号を復号する復調器であって、第１のウォルシュ符号を用いる上記データレート制御信号を逆拡散する（decovering）第１のウォルシュ逆拡散器を具備する復調器と、
上記データレートに基づいている上記第１のデータパケットを送るための時間スロット数を選択するスケジューラと、
上記データレート制御信号に基づいて上記データレートを選択し、上記フィードバック信号に基づいて時間スロット数を変更する制御プロセッサと、
を具備する装置。
【請求項５９】  請求項５８に記載の装置において、上記復調器は、上記第１のウォルシュ符号と直交する第２のウォルシュ符号を用いる上記フィードバック信号を逆拡散する（decovering）第２のウォルシュ逆拡散器を更に具備する装置。
【請求項６０】  無線通信システムデバイスにおける方法であって、
複数スロットパケットの複数の部分を第１のデータレートで受信する工程であって、各部分は異なる時間スロットの間に受信され、上記複数スロットパケットは送信のための最大数の時間スロットを有し、該送信のための最大数の時間スロットは複数スロットパケットの再送信のためのスロットを割り当て、上記最大数の時間スロットが上記複数スロットパケットに関連する上記第１のデータレートによって決定される工程と、
上記受信された複数スロットパケットの複数の部分を蓄積する工程と、
上記蓄積された上記複数スロットパケットの複数の部分を復号することを試みる工程と、
上記スロットパケットの復号が成功した場合に、繰り返し停止メッセージを送る工程と、
を具備する方法。
【請求項６１】  請求項６０に記載の方法において、上記方法は、
上記復号が成功しなかった場合に、上記受信された複数の部分の数を上記送信のための上記最大数の時間スロットと比較する工程と、
上記受信された複数の部分の数が上記送信のための上記最大数の時間スロットと等しい場合に、上記パケットのデータレートと関連する最大数の時間スロットを越える上記複数スロットパケットを繰り返した後で繰り返し継続メッセージを送る工程と、
を更に具備する方法。
【請求項６２】  請求項６１に記載の方法において、上記送信のための上記最大数の時間スロットは、上記第１のデータレートに基づいている方法。
【請求項６３】  無線ネットワークデバイスにおける方法であって、
複数スロットパケットのうちの送信のための最大数の時間スロットを割り当てる工程と、
上記複数スロットパケットの複数の部分を第１のデータレートで送信する工程であって、各部分は異なる時間スロットの間に送信される工程と、
上記複数スロットパケットの送信のための最大数の時間スロットの終了に先立って繰り返し停止メッセージを受信する工程と、
上記複数スロットパケットの送信を終了させる工程であって、上記送信のための最大数の時間スロットが上記第１のデータレートに基づいている工程と、
を具備する方法。
【請求項６４】  請求項６３に記載の方法において、上記方法は、
上記複数スロットパケットの最大数の送信の終了後に、繰り返し継続メッセージを受信する工程と、
時間スロットにおいて、上記複数スロットパケットの次の部分を送信する工程と、
を更に具備する方法。
【請求項６５】  無線通信デバイスであって、
複数スロットパケットの複数の部分を第１のデータレートで受信する手段であって、各部分は異なる時間スロットの間に受信され、上記複数スロットパケットは送信のための最大数の時間スロットを有し、該送信のための最大数の時間スロットは複数スロットパケットの再送信のためのスロットを割り当て、上記最大数の時間スロットが上記複数スロットパケットに関連する上記第１のデータレートによって決定される手段と、
上記受信された複数スロットパケットの複数の部分を蓄積する手段と、
上記蓄積された上記複数スロットパケットの複数の部分を復号することを試みる手段と、
上記スロットパケットの復号が成功した場合に、繰り返し停止メッセージを送る手段と、
を具備するデバイス。
【請求項６６】  無線ネットワークデバイスであって、
複数スロットパケットのうちの送信のための最大数の時間スロットを割り当てる手段と、
上記複数スロットパケットの複数の部分を第１のデータレートで送信する手段であって、各部分は異なる時間スロットの間に送信される手段と、
上記複数スロットパケットの送信のための最大数の時間スロットの終了に先立って繰り返し停止メッセージを受信する手段と、
上記複数スロットパケットの送信を終了させる手段であって、上記送信のための最大数の時間スロットが上記第１のデータレートに基づいている手段と、
を具備するデバイス。
【請求項６７】  無線装置であって、
複数スロットパケットの複数の部分を第１のデータレートで受信ように適合された受信器であって、各部分は異なる時間スロットの間に受信され、上記複数スロットパケットは送信のための最大数の時間スロットを有し、該送信のための最大数の時間スロットは複数スロットパケットの再送信のためのスロットを割り当て、上記最大数の時間スロットが上記複数スロットパケットに関連する上記第１のデータレートによって決定される受信器と、
上記受信された複数スロットパケットの複数の部分を蓄積するように適合された蓄積バッファと、
上記蓄積された上記複数スロットパケットの複数の部分を復号することを試みるように適合された復号器と、
上記スロットパケットの復号が成功した場合に、繰り返し停止メッセージを送る送信器と、
を具備する装置。
【請求項６８】  請求項６７に記載の装置において、上記送信器は、上記復号が成功しなかった場合に、上記パケットのデータレートと関連する最大数の時間スロットを越える上記複数スロットパケットを繰り返した後で繰り返し継続メッセージを送るように更に適合されている装置。
【請求項６９】  請求項６７に記載の装置において、上記最大数の時間スロットは、上記データレートに基づいている装置。
【請求項７０】  請求項６７に記載の装置において、上記送信器は、上記装置に送信するためのデータレート要求するデータレート制御メッセージを送信するようにさらに適合されている装置。
【請求項７１】  無線ネットワークデバイスであって、
複数スロットパケットのうちの送信のための最大数の時間スロットを割り当てるように適合されたコントローラと、
上記複数スロットパケットの複数の部分を第１のデータレートで送信するように適合された送信器であって、各部分は異なる時間スロットの間に送信される送信器と、
上記複数スロットパケットの送信のための最大数の時間スロットの終了に先立って繰り返し停止メッセージを受信する受信器と、
を具備し、
上記コントローラは、上記繰り返し停止メッセージに応答して上記複数スロットパケットの送信を終了させ、上記送信のための最大数の時間スロットが上記第１のデータレートに基づいているデバイス。